【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
第１の光導波路と第２の光導波路と、前記第１の光導波路を伝播する光信号と相互作用する第１の電気信号が進行する第１の電極と、前記第２の光導波路を伝播する光信号と相互作用する第２の電気信号が進行する第２の電極が形成された、電気光学効果を有する第１の基板と、
前記第１の基板上に、更に前記第１及び第２の電極のそれぞれに対応する第１及び第２の入力部が配置され、
更に、前記第１及び第２の入力部と、対応するそれぞれ前記第１の電気信号及び第２の電気信号を供給する第１及び第２の電気コネクタとを接続するストリップ線路が形成された第２の基板とを備え、
前記第２の基板に形成されたストリップ線路の前記第１及び第２の入力部に接続される側の間隔が、前記第１及び第２の電気コネクタに接続される側の間隔よりも狭くなるように構成されている
ことを特徴とする光導波路デバイス。
【請求項２】
電気光学効果を有する第１の基板と、
前記第１の基板に形成された入力部光導波路と、
前記入力部光導波路を第１の光導波路と第２の光導波路とに分岐する入力側導波路分岐部と、
前記第１の光導波路と第２の光導波路とを合波させる出力側合波部と、
前記第１の光導波路を伝播する光と相互作用し光の位相を制御する第１の電気信号が進行する第１の電極と、
前記第２の光導波路を伝播する光と相互作用し光の位相を制御する第２の電気信号が進行する第２の電極とを有し、
前記第１及び第２の電極にそれぞれ対応する第１及び第２の入力部が前記第１の基板の同一側の面に配置され、
前記第１及び第２の入力部と、対応する第１及び第２のそれぞれ前記第１の電気信号及び第２の電気信号を供給する第１及び第２の電気コネクタとを接続するストリップ線路が形成された第２の基板を備え、
前記第２の基板に形成されたストリップ線路の前記第１及び第２の入力部に接続される側の間隔が、前記第１及び第２の電気コネクタに接続される側の間隔よりも狭くなるように構成されている
ことを特徴とする光導波路デバイス。
【請求項３】
請求項１または２において、
前記第２の基板上に形成されたストリップ線路としてコプレナ線路が形成されていることを特徴とする光導波路デバイス。
【請求項４】
請求項１または２において、
電気光学効果を有する第１の基板としてLiNbO3を用いたことを特徴とする光導波路デバイス。
【請求項５】
請求項１または２において、
前記第１及び第２の電気信号は、マイクロ波帯の周波数を有し、光変調器を構成することを特徴とする光導波路デバイス。
【請求項６】
電気光学効果を有する基板上に形成された第１の光導波路と第２の光導波路と，
前記第１の光導波路に対応する領域に形成され，第１の電気信号が入力される第１の電極と，
前記第２の光導波路に対応する領域に形成され，第２の電気信号が入力される第２の電極と，
前記基板上の前記第１及び第２の電極のそれぞれ対応する第１及び第２の入力部と，
前記第１及び第２の入力部と，前記第１と第２の電気信号をそれぞれ対応する前記第１及び第２の入力部に供給する第１及び第２の電気コネクタとを接続する，第２の基板上のストリップ線路とを有し，
前記第１及び第２の入力部に接続される一面側のストリップ線路間の距離が前記第１及び第２の電気コネクタに接続される他面側のストリップ線路間の距離よりも狭くなるように構成されている
ことを特徴とする光導波路デバイス。
【手続補正２】
【補正対象書類名】明細書
【補正対象項目名】００１４
【補正方法】変更
【補正の内容】
【００１４】
【課題を解決するための手段】
上記の本発明の課題を達成する光導波路デバイスの第１の側面は、第１の光導波路と第２の光導波路と、前記第１の光導波路を伝播する光信号と相互作用する第１の電気信号が進行する第１の電極と、前記第２の光導波路を伝播する光信号と相互作用する第２の電気信号が進行する第２の電極が形成された、電気光学効果を有する第１の基板と、前記第１の基板上に、更に前記第１及び第２の電極のそれぞれに対応する第１及び第２の入力部が配置され、更に、前記第１及び第２の入力部と、対応するそれぞれ前記第１の電気信号及び第２の電気信号を供給する第１及び第２の電気コネクタとを接続するストリップ線路が形成された第２の基板とを備え、
前記第２の基板に形成されたストリップ線路の前記第１及び第２の入力部に接続される側の間隔が、前記第１及び第２の電気コネクタに接続される側の間隔よりも狭くなるように構成されていることを特徴とする。
【手続補正３】
【補正対象書類名】明細書
【補正対象項目名】００１５
【補正方法】変更
【補正の内容】
【００１５】
上記の本発明の課題を達成する光導波路デバイスの第２の側面は、電気光学効果を有する第１の基板と、前記第１の基板に形成された入力部光導波路と、前記入力部光導波路を第１の光導波路と第２の光導波路とに分岐する入力側導波路分岐部と、前記第１の光導波路と第２の光導波路とを合波させる出力側合波部と、前記第１の光導波路を伝播する光と相互作用し光の位相を制御する第１の電気信号が進行する第１の電極と、前記第２の光導波路を伝播する光と相互作用し光の位相を制御する第２の電気信号が進行する第２の電極とを有し、前記第１及び第２の電極にそれぞれ対応する第１及び第２の入力部が前記第１の基板の同一側の面に配置され、前記第１及び第２の入力部と、対応する第１及び第２のそれぞれ前記第１の電気信号及び第２の電気信号を供給する第１及び第２の電気コネクタとを接続するストリップ線路が形成された第２の基板を備え、前記第２の基板に形成されたストリップ線路の前記第１及び第２の入力部に接続される側の間隔が、前記第１及び第２の電気コネクタに接続される側の間隔よりも狭くなるように構成されていることを特徴とする。
【手続補正４】
【補正対象書類名】明細書
【補正対象項目名】００１６
【補正方法】変更
【補正の内容】
【００１６】
上記において，前記第２の基板上に形成されたストリップ線路としてコプレナ線路が形成されているようにすることが可能である。
【手続補正５】
【補正対象書類名】明細書
【補正対象項目名】００１７
【補正方法】変更
【補正の内容】
【００１７】
上記において，前記電気光学効果を有する圧電基板としてLiNbO3を用いることが可能である。
【手続補正６】
【補正対象書類名】明細書
【補正対象項目名】００１８
【補正方法】変更
【補正の内容】
【００１８】
上記において，前記第１及び第２の電気信号は、マイクロ波帯の周波数を有し、光変調器を構成することが可能である。
さらに，上記の本発明の課題を達成する光導波路デバイスの第３の側面は、電気光学効果を有する基板上に形成された第１の光導波路と第２の光導波路と，前記第１の光導波路に対応する領域に形成され，第１の電気信号が入力される第１の電極と，前記第２の光導波路に対応する領域に形成され，第２の電気信号が入力される第２の電極と，前記基板上の前記第１及び第２の電極のそれぞれ対応する第１及び第２の入力部と，前記第１及び第２の入力部と，前記第１と第２の電気信号をそれぞれ対応する前記第１及び第２の入力部に供給する第１及び第２の電気コネクタとを接続する，第２の基板上のストリップ線路とを有し，前記第１及び第２の入力部に接続される一面側のストリップ線路間の距離が前記第１及び第２の電気コネクタに接続される他面側のストリップ線路間の距離よりも狭くなるように構成されていることを特徴とする。